(57)【要約】【課題】利用者が意識的に遠隔操作しなくても制御が開始され、利用に伴う手続きの煩雑さを従来よりも緩和することが可能なＧＰＳリモコンセンタを提供する。【解決手段】ＧＰＳリモコン装置１及びＧＰＳ携帯端末３と、インターネット１０を介して通信可能に接続されたＧＰＳリモコンセンタ２であって、通信部２１と、利用者登録及びリモコン作動情報登録を行う利用者情報登録部２２及びＧＰＳリモコンデータベース２３ａと、赤外線信号情報を保持する赤外線信号データベース２３ｂと、赤外線信号データベース２３ｂを管理するリモコンコード管理部２４と、ＧＰＳ携帯端末３の現在位置の情報を取得し、現在位置に応じて制御信号を出力する本人現在位置情報取得処理部２５と、本人現在位置情報取得処理部２５が出力した制御信号等に応じて、パーソナルコンピュータ１２に赤外線信号情報を送信するＧＰＳリモコン制御部２６と、を備える構成を有している。【選択図】図１
2008017064.tif 000002
【特許請求の範囲】
【請求項１】
赤外線リモコンを用いて利用者の装置を遠隔操作可能なＧＰＳリモコン装置にインターネットを介して通信可能に接続され、前記利用者が有するＧＰＳ機能付きの携帯通信端末装置と通信可能に接続されると共に、前記携帯通信端末装置のメールアドレス及び前記ＧＰＳリモコン装置のメールアドレスを含む利用者に関する利用者情報と所定の領域の情報を含むリモコン作動情報とが記録されるＧＰＳリモコンデータベース、及び前記赤外線リモコンが前記利用者の装置の制御のために放射する赤外線の信号に関する赤外線信号情報を保持する赤外線信号データベースにアクセス可能に接続された装置であって、
前記利用者情報を受信し、受信した前記利用者情報に含まれるメールアドレスの携帯通信端末装置に、受信した前記利用者情報の送信元の前記ＧＰＳリモコン装置を介した返信メールを要求する電子メールを送信して、前記返信メールに基づいて受信した前記利用者情報の登録の可否を判断し、登録と判断した場合に、受信した前記利用者情報に含まれる利用者を識別する識別情報を生成して、送信元の前記ＧＰＳリモコン装置に送信すると共に、前記識別情報と受信した前記利用者情報とを対応させて前記ＧＰＳリモコンデータベースに記録し、かつ、前記リモコン作動情報を受信し、受信した前記リモコン作動情報に含まれる前記識別情報に基づいて受信した前記リモコン作動情報の登録の可否を判断し、登録と判断した場合に受信した前記リモコン作動情報を対応する前記利用者情報に関連させて前記ＧＰＳリモコンデータベースに登録する利用者情報登録部と、
前記利用者情報が登録された携帯通信端末装置の現在位置の情報を受信し、前記現在位置が前記領域内であるか否かを判断する本人現在位置情報取得処理部と、
前記現在位置が前記領域内であると判断されたとき、現在位置の情報を受信した携帯通信端末装置に対応する前記利用者情報と前記リモコン作動情報を前記ＧＰＳリモコンデータベースから取得すると共に、取得した前記リモコン作動情報に適合する前記赤外線信号情報を赤外線信号データベースから読み出し、読み出した前記赤外線信号情報を前記で取得した前記利用者情報に含まれるメールアドレスの前記ＧＰＳリモコン装置に送信するＧＰＳリモコン制御部と、を備えたことを特徴とするＧＰＳリモコンセンタ。
【請求項２】
前記リモコン作動情報が、前記赤外線リモコンの作動を含む制御の承認を前記利用者に受けるか否かの情報を含み、前記本人現在位置情報取得処理部が、前記現在位置が前記領域内であると判断したとき、前記赤外線リモコンの制御の承認の電子メールを対応する前記ＧＰＳリモコン装置に送信し、承認が得られたときに、前記ＧＰＳリモコン制御部が、読み出した前記赤外線信号情報を前記で取得した前記利用者情報に含まれるメールアドレスの前記ＧＰＳリモコン装置に送信することを特徴とする請求項１に記載のＧＰＳリモコンセンタ。
【請求項３】
前記リモコン作動情報が、前記赤外線リモコンの制御結果を前記利用者が有するＧＰＳ機能付の携帯通信端末装置に通知するか否かの情報を含み、前記ＧＰＳリモコン制御部が、前記赤外線リモコンの制御結果を、登録された携帯通信端末装置に電子メールで通知することを特徴とする請求項１又は請求項２に記載のＧＰＳリモコンセンタ。
【発明の詳細な説明】
【技術分野】
【０００１】
本発明は、ＧＰＳ機能付きの携帯通信端末装置と、家庭内、オフィス内等に設けられたパーソナルコンピュータと通信し、リモコンを介して家電製品等の電気製品を遠隔制御する、ＧＰＳリモコン装置、ＧＰＳリモコンセンタ、及びＧＰＳリモコンシステムに関する。
【背景技術】
【０００２】
近年、タイマー機能を有する種々の電気製品が家庭、オフィス等に普及し、内蔵するタイマー機能を使用して予め設定された時刻に電気製品を作動／停止又はＯＮ／ＯＦＦさせることが行われている。そのため、利用者は、電気製品から離れていても録画、エアコンディショナーの動作の開始終了等の操作を行うことができる。しかしながら、タイマー機能には、予め設定された時刻に必ず作動してしまうという欠点がある。例えば、利用者がエアコンを２０：００に作動するようにタイマーを設定して外出したが、都合により帰宅時間が２３：００になってしまった場合、３時間の間無駄に作動することになり、エネルギー、電気使用料金等の無駄遣いをしてしまうことになる。
【０００３】
ここで、近年の電気製品は、その殆どが赤外線を使用したリモートコントロール装置（以下、リモコン装置という。）により制御可能であり、電源のＯＮ／ＯＦＦ、エアコンディショナーの温度設定等の制御ができる。そこで、従来、リモコン装置を利用して上記のタイマー機能が有する問題点を、リモコン装置を遠隔操作することによって解決しようとする試みがある（例えば、特許文献１、特許文献２参照。）。
【０００４】
特許文献１に記載の技術は、電話回線を介した通信又はメール送信を利用して、家庭内に設置されているパーソナルコンピュータとこれに接続されている赤外線信号送信装置を遠隔地から制御し、電器製品の遠隔操作を実現しようとする。また、特許文献２に記載の技術は、携帯電話機からＷｅｂサイトにアクセスし、Ｗｅｂサイト上のアプリケーションを使用して赤外線信号送信装置を制御し、電器製品の遠隔操作を実現しようとする。
【特許文献１】特開２００４−１９３６８８号公報
【特許文献２】特開２００４−１９４０８４号公報
【発明の開示】
【発明が解決しようとする課題】
【０００５】
しかしながら、特許文献１及び特許文献２に記載の従来の制御技術では、いずれも利用者が携帯電話機を使用して電気製品を遠隔操作するようになっているため、利用者が意識的に操作しない限り電気製品の制御を行うことができないという問題を有していた。また、新たに電気製品が追加される度に、追加された電気製品について、制御用の赤外線信号の登録、又は所定の制御プログラム等のダウンロードを行う必要が生じていた。
【０００６】
以上の現状に鑑み、本発明の目的は、利用者が意識的に遠隔操作しなくても制御が開始され、利用に伴う手続きの煩雑さを従来よりも緩和することが可能なＧＰＳリモコン装置、ＧＰＳリモコンセンタ、及びＧＰＳリモコンシステムを提供する。
【課題を解決するための手段】
【０００７】
上記の課題を解決すべく、本発明は以下の構成を提供する。
請求項１に係る発明は、赤外線リモコンを用いて利用者の装置を遠隔操作可能なＧＰＳリモコン装置にインターネットを介して通信可能に接続され、前記利用者が有するＧＰＳ機能付きの携帯通信端末装置と通信可能に接続されると共に、前記携帯通信端末装置のメールアドレス及び前記ＧＰＳリモコン装置のメールアドレスを含む利用者に関する利用者情報と所定の領域の情報を含むリモコン作動情報とが記録されるＧＰＳリモコンデータベース、及び前記赤外線リモコンが前記利用者の装置の制御のために放射する赤外線の信号に関する赤外線信号情報を保持する赤外線信号データベースにアクセス可能に接続された装置であって、前記利用者情報を受信し、受信した前記利用者情報に含まれるメールアドレスの携帯通信端末装置に、受信した前記利用者情報の送信元の前記ＧＰＳリモコン装置を介した返信メールを要求する電子メールを送信して、前記返信メールに基づいて受信した前記利用者情報の登録の可否を判断し、登録と判断した場合に、受信した前記利用者情報に含まれる利用者を識別する識別情報を生成して、送信元の前記ＧＰＳリモコン装置に送信すると共に、前記識別情報と受信した前記利用者情報とを対応させて前記ＧＰＳリモコンデータベースに記録し、かつ、前記リモコン作動情報を受信し、受信した前記リモコン作動情報に含まれる前記識別情報に基づいて受信した前記リモコン作動情報の登録の可否を判断し、登録と判断した場合に受信した前記リモコン作動情報を対応する前記利用者情報に関連させて前記ＧＰＳリモコンデータベースに登録する利用者情報登録部と、前記利用者情報が登録された携帯通信端末装置の現在位置の情報を受信し、前記現在位置が前記領域内であるか否かを判断する本人現在位置情報取得処理部と、前記現在位置が前記領域内であると判断されたとき、現在位置の情報を受信した携帯通信端末装置に対応する前記利用者情報と前記リモコン作動情報を前記ＧＰＳリモコンデータベースから取得すると共に、取得した前記リモコン作動情報に適合する前記赤外線信号情報を赤外線信号データベースから読み出し、読み出した前記赤外線信号情報を前記で取得した前記利用者情報に含まれるメールアドレスの前記ＧＰＳリモコン装置に送信するＧＰＳリモコン制御部と、を備えたことを特徴とする。
【０００８】
請求項２に係る発明は、請求項１のＧＰＳリモコンセンタにおいて、前記リモコン作動情報が、前記赤外線リモコンの作動を含む制御の承認を前記利用者に受けるか否かの情報を含み、前記本人現在位置情報取得処理部が、前記現在位置が前記領域内であると判断したとき、前記赤外線リモコンの制御の承認の電子メールを対応する前記ＧＰＳリモコン装置に送信し、承認が得られたときに、前記ＧＰＳリモコン制御部が、読み出した前記赤外線信号情報を前記で取得した前記利用者情報に含まれるメールアドレスの前記ＧＰＳリモコン装置に送信することを特徴とする。
【０００９】
請求項３に係る発明は、請求項１又は請求項２のＧＰＳリモコンセンタにおいて、前記リモコン作動情報が、前記赤外線リモコンの制御結果を前記利用者が有するＧＰＳ機能付の携帯通信端末装置に通知するか否かの情報を含み、前記ＧＰＳリモコン制御部が、前記赤外線リモコンの制御結果を、登録された携帯通信端末装置に電子メールで通知することを特徴とする。
【発明の効果】
【００１０】
請求項１に係る発明によれば、同一の利用者が有するＧＰＳ機能付きの携帯通信端末装置とＧＰＳリモコン装置を用いて、利用者の赤外線リモコンの制御に必要な情報を携帯通信端末装置の現在位置及び登録された情報から利用者の意識とは無関係に取得して利用者の電気製品等の制御を開始するため、利用者が意識的に遠隔操作しなくても制御が開始され、利用に伴う手続きの煩雑さを従来よりも緩和することが可能なＧＰＳリモコンセンタを実現することができる。
【００１１】
請求項２に係る発明によれば、上記請求項１の効果に加えて、前記リモコン作動情報が、前記赤外線リモコンの作動を含む制御の承認を前記利用者に受けるか否かの情報を含み、前記本人現在位置情報取得処理部が、前記現在位置が前記領域内であると判断したとき、前記赤外線リモコンの制御の承認の電子メールを対応する前記ＧＰＳリモコン装置に送信し、承認が得られたときに、前記ＧＰＳリモコン制御部が、読み出した前記赤外線信号情報を前記で取得した前記利用者情報に含まれるメールアドレスの前記ＧＰＳリモコン装置に送信するため、利用者の意図しない電気製品等の作動等を防止することができる。
【００１２】
請求項３に係る発明によれば、上記請求項１又は請求項２の効果に加えて、前記リモコン作動情報が、前記赤外線リモコンの制御結果を前記利用者が有するＧＰＳ機能付の携帯通信端末装置に通知するか否かの情報を含み、前記ＧＰＳリモコン制御部が、前記赤外線リモコンの制御結果を、登録された携帯通信端末装置に電子メールで通知するため、利用者は、電気製品等の作動等の結果を知ることができる。
【発明を実施するための最良の形態】
【００１３】
以下、実施例を示した図面を参照しつつ本発明の実施の形態について説明する。
図１は、本発明によるＧＰＳリモコンシステムの構成の一実施例を概略的に示すブロック図である。ＧＰＳリモコンシステムは、図１に示すように、インターネット１０を介して通信可能に接続された、所定範囲内に配置された装置を制御するＧＰＳ（Ｇｌｏｂａｌ  Ｐｏｓｉｔｉｏｎｉｎｇ  Ｓｙｓｔｅｍ）リモコン装置１と、ＧＰＳリモコン装置１に制御を指示するＧＰＳリモコンセンタ２と、ＧＰＳリモコン装置１の利用者と同一の利用者が所有するＧＰＳ機能付きの携帯通信端末装置（以下、ＧＰＳ携帯端末という。）３と、を備えるように構成される。ここで、ＧＰＳ機能とは、ＧＰＳ衛星と通信してＧＰＳ情報を受信し、得られたＧＰＳ情報に基づいて現在位置を算出する機能をいうものとする。
【００１４】
ＧＰＳリモコン装置１は、赤外線を利用してエアコンディショナー、ＡＶ（Ａｕｄｉｏ  Ｖｉｓｕａｌ）装置等の制御対象の装置を制御する赤外線リモコン１１と、例えば所謂ＵＳＢ（Ｕｎｉｖｅｒｓａｌ  Ｓｅｒｉａｌ  Ｂｕｓ）ケーブルを介して赤外線リモコン１１を制御するパーソナルコンピュータ１２とを有する。ここで、パーソナルコンピュータ１２は、インターネット１０を介してＧＰＳリモコンセンタ２と通信可能に接続されている。
【００１５】
ＧＰＳリモコンセンタ２は、インターネット１０を介して外部の装置と通信するための通信部２１と、利用者登録及びリモコン作動情報登録を行う利用者情報登録部２２と、利用者登録及びリモコン作動情報登録で得られた情報を保持するＧＰＳリモコンデータベース２３ａ、及び赤外線リモコンが制御に用いる赤外線の信号等に関する情報（以下、赤外線信号情報という。）を保持する赤外線信号データベース２３ｂを有するセンタデータベース２３と、赤外線信号データベース２３ｂを管理するリモコンコード管理部２４と、通信部２１を介してＧＰＳ携帯端末３の現在位置の情報を取得し、現在位置に応じて所定の制御信号を出力する本人現在位置情報取得処理部２５と、本人現在位置情報取得処理部２５から上記の制御信号が入力され、この制御信号とセンタデータベース２３に保持された情報とに応じて、通信部２１を介してパーソナルコンピュータ１２に赤外線リモコン１１を制御する信号を送信するＧＰＳリモコン制御部２６と、を有する。
【００１６】
ここで、利用者登録は、ＧＰＳリモコン装置１を利用する利用者の、識別コード、住所、氏名、連絡先、携帯電話メールアドレス、ＧＰＳリモコン装置１のメールアドレス等の利用者情報を登録することをいう。リモコン作動情報登録とは制御対象の装置に関するリモコン作動情報を登録することをいい、リモコン作動情報は、赤外線リモコン１１の作動条件としてのＧＰＳ携帯端末３の位置、制御対象の電気製品、電源ＯＮ等の制御内容及び制御条件を含む。利用者情報及びリモコン作動情報は、対応付けられてＧＰＳリモコンデータベース２３ａに登録される。利用者登録及びリモコン作動情報登録は、パーソナルコンピュータ１２から利用者情報登録部２２にアクセスして行われる。
【００１７】
リモコンコード管理部２４は、ＧＰＳリモコン装置１の赤外線リモコン１１を介して対象の装置を制御するための赤外線信号情報等を、例えば、電気製品、メーカー、機種等毎に赤外線信号データベース２３ｂに登録すると共に管理するようになっている。ＧＰＳ携帯端末３は、ＧＰＳ機能とインターネット１０を介して電子メールを送受信する機能とを有する。
【００１８】
図２は、ＧＰＳリモコンセンタを構成する利用者情報登録部が行う登録処理等について説明するためのフローチャートである。ＧＰＳリモコンシステムの利用のために、パーソナルコンピュータ１２からＧＰＳリモコンセンタ２に予め利用者登録及びリモコン作動情報登録が行われる。利用者情報登録部２２は、例えば図３に示す利用者情報登録ページをパーソナルコンピュータ１２に表示し、利用者登録を行わせるようになっている。
【００１９】
図３は、利用者のパーソナルコンピュータに表示される利用者情報登録ページの一例を示す模式図である。利用者情報登録ページ３００は、利用者の、住所３０１、氏名３０２、電話番号３０３、ＧＰＳ携帯端末の電話番号３０４、ＧＰＳ携帯端末のメールアドレス３０５、及びＧＰＳリモコン装置１を構成するパーソナルコンピュータ１２のメールアドレス３０６からなる入力欄と、クリックすることによって利用者情報を送信するための登録３０７ボタンとを有する。
【００２０】
利用者情報登録部２２は、利用者登録のために以下の処理を行う。まず、パーソナルコンピュータ１２からのアクセスに応じて、利用者情報登録ページがパーソナルコンピュータ１２上に表示され、パーソナルコンピュータ１２から送信された利用者情報が受信される（Ｓ１１１）。ステップＳ１１１で受信した利用者情報に含まれる利用者の住所を確認するため、ＧＰＳ携帯端末３の現在位置の確認のための処理が行われる（Ｓ１１２）。
【００２１】
次に、ステップＳ１１２で登録しようとする利用者の住所の確認がとれたか否かの判定がなされ（Ｓ１１３）、確認がとれたと判定された場合は、利用者を識別する識別情報が生成され、生成された識別情報と利用者情報とが対応するようにＧＰＳリモコンデータベース１２に格納され（Ｓ１１４）、生成された識別情報はまた利用者のパーソナルコンピュータ１２に送信される（Ｓ１１５）。
【００２２】
パーソナルコンピュータ１２は、受信した識別情報を格納する。この識別情報は、リモコン作動情報登録を行うときにパーソナルコンピュータ１２から送信される情報中に含められ、ＧＰＳリモコンデータベース２３ａに格納された原本と照合される。これによって、登録操作が実行可能なパーソナルコンピュータが制限され、第３者による不正な登録を防止することが可能となる。確認がとれなかったと判定された場合は、確認ができなかったことを示す情報が利用者のパーソナルコンピュータ１２に送信される（Ｓ１１５）。以上で、利用者登録のための処理は、終了する。
【００２３】
次に、リモコン作動情報登録について説明する。利用者情報登録部２２は、例えば図４に示すリモコン作動情報登録ページをパーソナルコンピュータ１２に表示し、リモコン作動情報登録を行わせるようになっている。図４は、パーソナルコンピュータに表示されるリモコン作動情報登録ページの一例を示す模式図である。リモコン作動情報登録ページ４００は、リモコンが作動するリモコン作動領域４０１、テレビ、エアコン等の電器製品の種類４０２、電器製品のメーカー４０３、電器製品の機種４０４、及び電源ＯＮ、録画開始等の操作内容４０５、及びリモコンを作動させる作動条件４０６からなる入力欄と、地図４０７、作動の承認４０８、通知メール４０９、登録４１０からなるボタンとを有する。ここで、テレビ、エアコン等の電器製品の種類４０２、電器製品のメーカー４０３、電器製品の機種４０４、及び電源ＯＮ、録画開始等の操作内容４０５によってリモコン作動内容欄が構成される。
【００２４】
リモコン作動領域４０１に設定された領域は、地図４０７をクリックすることによってサブウィンドウに地図と共に表示され、リモコン作動領域の確認又は修正ができるようになっている。また、リモコン作動内容は、予め赤外線信号データベース２３ｂに登録されている、種類４０２、メーカー４０３、機種４０４、操作内容４０５が一覧表示され、選択又は入力することによって設定できるようになっている。なお、赤外線信号データベース２３ｂには、テレビ、エアコン、照明機器等の無人で運転しても重大事故が生じにくい電気製品又は操作が登録され、例えばガスファンヒータの電源ＯＮ等、重大事故の発生の可能性を有するものについては登録できないものとする。
【００２５】
リモコン作動情報を上記のように登録させることによって、ＧＰＳリモコンセンタ側の判断で危険予防をとることが可能となる。作動条件４０６の設定は、赤外線信号データベース２３ｂが予め所定の作動条件の例を保持し、保持する作動条件の例を表示して利用者に選択させるように行われるのでもよい。リモコンの作動条件として、例えば作動時間帯を選択する場合、作動時間帯を指定することによって外出前にリモコンが作動することを防止することができる。
【００２６】
また、承認４０８を「有り」に設定することによって、例えば帰宅以外の目的で作動領域に入ってしまう等の意図しないリモコンの作動を防止することができる。通知メール４０９は、ＧＰＳリモコン制御部２６が送信した赤外線信号情報に対するＧＰＳリモコン装置１の応答をＧＰＳ携帯端末３に電子メールで送信することの要否を指定するボタンである。登録４１０は、リモコン作動情報の入力を終えたときに利用者がクリックするボタンであり、これによって、パーソナルコンピュータ１２から利用者情報登録部２２にリモコン作動情報等が送信される。
【００２７】
リモコン作動情報登録において、利用者情報登録部２２は以下の処理を行う。まず、パーソナルコンピュータ１２からのアクセスに応じて、リモコン作動情報登録ページ４００がパーソナルコンピュータ１２上に表示され、図４に示す登録４１０をクリックすることによってパーソナルコンピュータ１２から送信されたリモコン作動情報が受信される（Ｓ１２１）。ここで、パーソナルコンピュータ１２に格納された識別情報は、登録４１０のクリックにより、リモコン作動情報と共にＧＰＳリモコンセンタ２に送信されるようになっている。
【００２８】
次に、ステップＳ１２１で受信した情報中から識別情報が取得され、ＧＰＳリモコンデータベース２３ａに登録された識別情報と照合される（Ｓ１２２）。次に、ステップＳ１２２での照合で識別情報が一致したか否かが判定され（Ｓ１２３）、一致したと判定された場合、受信したリモコン作動情報が、ＧＰＳリモコンデータベース２３ａに登録され（Ｓ１２４）、一致しないと判定された場合、登録できないことを示す情報が利用者のパーソナルコンピュータ１２に送信される（Ｓ１２５）。以上で、リモコン作動情報登録のための処理は、終了する。
【００２９】
図５は、ＧＰＳリモコンセンタを構成する本人現在位置情報取得処理部が行う処理について説明するためのフローチャートである。まず、ＧＰＳ携帯端末３の通信キャリアの携帯電話キャリア装置２０を介してＧＰＳ携帯端末３の現在位置を示す本人現在位置情報が取得され（Ｓ１３１）、ＧＰＳリモコンデータベース２３ａに登録されたリモコン作動領域が取得されて比較され（Ｓ１３２）、リモコン作動領域内であるか否かの判定が行われる（Ｓ１３３）。ステップＳ１３３でリモコン作動領域内であると判定された場合、リモコンの作動条件がＧＰＳリモコンデータベース２３ａから取得され（Ｓ１３４）、作動条件が充足しているか否かの判定が行われる（Ｓ１３５）。
【００３０】
ステップＳ１３５で充足していると判定された場合、制御開始を指示する開始指示情報が生成されＧＰＳリモコン制御部２６に出力される（Ｓ１３６）。ステップＳ１３３でリモコン作動領域外であると判定された場合、ステップＳ１３５で充足していないと判定された場合、及び、ステップＳ１３６での処理が終了した場合、ステップＳ１３１以降の処理を繰り返す。
【００３１】
図６は、ＧＰＳリモコンセンタを構成するＧＰＳリモコン制御部が行う処理について説明するためのフローチャートである。まず、上記のステップＳ１３６で出力された開始指示情報が入力されたとき、まず、リモコン作動情報に含まれる利用者による作動承認の要否の情報が取得され（Ｓ１４１）、作動承認が必要か否かの判定が行われる（Ｓ１４２）。ステップＳ１４２で作動承認が必要と判定された場合、承認を得るための確認メールがＧＰＳ携帯端末３に送信され（Ｓ１４３）、返信メールが受信される（Ｓ１４４）。
【００３２】
ここで、利用者は、ＧＰＳ携帯端末３で確認メールを受信し、リモコンを作動させる場合は返信メールを送信し、リモコンを作動させない場合には返信メールを送信しない。次に、ステップＳ１４４で返信メールを受信したか否かの判定が行われ（Ｓ１４５）、受信しないと判定された場合、タイムアウトか否かの判定が行われ（Ｓ１４６）、タイムアウトと判定された場合、承認が得られなかったものとして処理は終了し、タイムアウトになっていないと判定された場合、ステップＳ１４４以降の処理が繰り返される。
【００３３】
ステップＳ１４２で作動承認が必要でないと判定された場合、及び、ステップＳ１４４で返信メールを受信したと判定された場合、リモコンの制御に要する赤外線信号情報が赤外線信号データベース２３ｂから取得され（Ｓ１４７）、赤外線信号情報がパーソナルコンピュータ１２に送信される（Ｓ１４８）。ここで、赤外線信号情報がパーソナルコンピュータ１２によって受信されたとき、赤外線信号情報に応じて赤外線リモコン１１が制御される。
【００３４】
ステップＳ１４８で赤外線信号情報がＧＰＳリモコン装置１に適切に送信されたとき、通知メールの要否の情報が赤外線信号データベース２３ｂから取得され（Ｓ１４９）、通知メールの要否の判定が行われる（Ｓ１５０）。ステップＳ１５０で通知メールが必要と判定された場合、ステップＳ１４８で受信した制御結果がＧＰＳ携帯端末３に送信され、通知され、通知メールが必要でないと判定された場合、処理は終了する。
【００３５】
なお、上記では、赤外線リモコンを介した制御対象の装置の作動を主に制御内容とするＧＰＳリモコンシステムを例にとり説明したが、本発明は必ずしも制御対象の装置の作動には限られず、制御対象の装置の動作モードの変更、制御の目標値の変更等の、その他の制御内容についても、同様に適用されるのでもよい。
【図面の簡単な説明】
【００３６】
【図１】本発明によるＧＰＳリモコンシステムの構成の一実施例を概略的に示すブロック図である。
【図２】ＧＰＳリモコンセンタを構成する利用者情報登録部が行う登録処理等について説明するためのフローチャートである。
【図３】パーソナルコンピュータに表示される利用者情報登録ページの一例を示す模式図である。
【図４】パーソナルコンピュータに表示されるリモコン作動情報登録ページの一例を示す模式図である。
【図５】ＧＰＳリモコンセンタを構成する本人現在位置情報取得処理部が行う処理について説明するためのフローチャートである。
【図６】ＧＰＳリモコンセンタを構成するＧＰＳリモコン制御部が行う処理について説明するためのフローチャートである。
【符号の説明】
【００３７】
１  ＧＰＳリモコン装置
２  ＧＰＳリモコンセンタ
３  ＧＰＳ携帯端末
１０  インターネット
１１  赤外線リモコン
１２  パーソナルコンピュータ
２０通信キャリアの携帯電話キャリア装置
２１  通信部
２２  利用者情報登録部
２３  センタデータベース
２３ａ  ＧＰＳリモコンデータベース
２３ｂ  赤外線信号データベース
２４  リモコンコード管理部
２５  本人現在位置情報取得処理部
２６  ＧＰＳリモコン制御部
３００  利用者情報登録ページ
３０１〜３０６、４０１〜４０６  入力欄
３０７、４０７〜４１０  操作ボタン
４００  リモコン作動情報登録ページ
【図１】
2008017064.tif 000003
【図２】
2008017064.tif 000004
【図３】
2008017064.tif 000005
【図４】
2008017064.tif 000006
【図５】
2008017064.tif 000007
【図６】
2008017064.tif 000008